(57)【要約】【課題】  従来の津波体験装置は、大規模で高額な設置費用がかかるため、国内でも少数の研究施設にしかなく、個人が津波の力を体験できるものではなかった。また、持ち運びもできないため、個人が防災訓練等で容易に体験できるものではなかった。【解決手段】  津波が人体を押し流す力を体験するために人体に取り付けるキット１であって、該キットを足につけるための取付手段３と、前記取付手段に接続される重り手段２と、前記取付手段又は前記重り手段に一端が接続される弾性体４−１、４−２と、前記弾性体の他端を引くための引張り用持ち手具５とを備えることを特徴とする津波体験キットである。【選択図】図１
2019109450.tif 000002
【特許請求の範囲】
【請求項１】
津波が人体を押し流す力を体験するために人体に取り付けるキットであって、該キットを足に取り付けるための取付手段と、前記取付手段に接続される重り手段と、前記取付手段又は前記重り手段に一端が接続される弾性体と、前記弾性体の他端を引張るための引張り用持ち手具とを備えることを特徴とする津波体験キット。
【請求項２】
前記取付手段は面ファスナーであることを特徴とする請求項１記載の津波体験キット。
【請求項３】
前記重り手段は重り及び重りを収納するための重り収納袋からなることを特徴とする請求項１又は請求項２記載の津波体験キット。
【発明の詳細な説明】
【発明の詳細な説明】
【技術分野】
【０００１】  本発明は、津波が身体を押し流す力を体験するために、容易に持ち運びと装着ができるように工夫された、津波体験キットに関するものである。
【背景技術】
【０００２】  ２０１１年の東日本大震災では大津波が発生し、多数の被害が出た。今後発生することが予想される東海地震や南海トラフ地震でも、大津波による被害が予想され、被害を最小限にするために自治体だけでなく、社会全体が津波の恐ろしさを理解し、防災意識を高める必要がある。従来の防災訓練では、津波発生を想定し、避難場所まで徒歩や走ったり、移動手段を用いて避難しているが、実際の津波による波の力を体験することで、荷物や子供を抱えた状態での避難や、高齢者や子供が自力で避難することがどれほど困難であるかを理解することが望ましい。【０００３】  従来の津波体験装置は、例えば神奈川県横須賀市の港湾空港技術研究所の津波実験施設のような大型の建物及び実験装置内で大量の水を放水し、波の強さを計測したり、体験したりするものが殆どであった。
【発明が解決しようとする課題】
【０００４】  従来の津波体験装置は、大規模で高額な設置費用がかかるため、国内でも少数の研究施設にしかなく、個人が津波の力を体験できるものではなかった。また、持ち運びもできないため、多くの人が防災訓練等で容易に体験できるものではなかった。本発明は、上述した従来装置の課題に鑑み、どこにでも容易に持ち運びすることができ、かつ誰もが容易に津波体験できる、津波体験キットを提供することを目的とする。
【課題を解決するための手段】
【０００５】  本発明は、津波が人体を押し流す力を体験するために人体に取り付けるキットであって、該キットを足に取り付けるための取付手段と、前記取付手段に接続される重り手段と、前記取付手段又は前記重り手段に一端が接続される弾性体と、前記弾性体の他端を引張るための引張り用持ち手具とを備えることを特徴とする津波体験キットである。
【０００６】  前記取付手段として、面ファスナーを用いることができる。また、前記重り手段としては、重り及び重りを収納するための重り収納袋を用いることができる。
【０００７】  本発明では、津波体験キットを足、特に足首に装着することにより、重りの重さに応じて水中で足に静水圧がかかった、足の動かしにくい状態を体験することができる。また、弾性体を引張ることで、津波が流れるときの水圧である動水圧を体験することができる。重りの重さと弾性体を引張る力を調整することで体験する津波の高さと水深を容易に変えることができる。即ち本発明によると、水深の違いによる津波の力を疑似体験するのに手間がかからず、持ち運びも容易である。本発明において、津波の動水圧体験のための足を引張る手段として、紐ではなく、弾性体を用いていることにより、弾性体の伸び具合を見て、引張る力（動水圧）を調整することが容易に可能となる。
【０００８】  本発明の津波体験キットにおける重り収納用袋としては、例えば、長方形のベルト状のもの、または棒状の重りを入れることができる形状で良い。
また、足、特に足首全体を重くするために、足首の周りにそれぞれ重りを収納した複数個の重り収納袋を取り付けるようにしてもよい。袋には面ファスナー等の開閉手段を設けるのが好ましい。開閉手段を設けると重りの収容後に袋を閉じることにより、疑似体験中に重りが袋から外に出てしまうことを防止できる。
【０００９】  本発明の津波体験キットにおいて、重り収納用袋に入れる（または足に直接取り付けられる）重りとしては、例えば鉛を使用すると良い。重量については、例えば水深２０ｃｍの津波を体験する場合、１ｋｇの重りを入れる。また、重りの重量を変えることで、水深の違いを変えられる。浅い水深の津波を体験する場合は重りを軽くし、深い水深を体験する場合は重りを重くする。
【発明の効果】
【００１０】  本発明による津波体験キットは、体験者への着脱が容易で、持ち運びが容易にできる簡単な装置であり、津波発生時に波が身体を押し流す力を実感でき、津波の恐ろしさを体験することができる。これにより、人々の防災意識を高めることができる。本発明の津波体験キットを学校や地域の公民館に配置して避難訓練などで使用することで、子供から老人までが気軽に津波の力を体験することができる。また、小型で持ち運びができ、着脱が容易なので、職場や家庭内でも体験することができる。
【００１１】  また、本発明の津波体験キットと津波体験シミュレータを自治体の防災センター等に設置することで、防災訓練や津波体験ブースなどで多くの人々が体験できる。
【図面の簡単な説明】
【００１２】
【図１】は、本発明の実施形態に係る津波体験キットを体験者の足首に装着した状態を示す図である。
【図２】は、本発明の実施形態に係る津波体験キットを示す図である。
【図３】は、［図２］の重り収納袋とスプリングとの取り付け部分を示す図である。
【図４】は、津波体験キットの他の実施形態を示す図である。
【発明を実施するための形態】
【００１３】  図１は実施形態の津波体験キットの使用状態を示す図である。本実施形態の津波体験キット１は、図２に示すように、面ファスナー３と重り収納用袋２と弾性体４（スプリング４−１、４−２）と引張り用持ち手具５が一つに繋がっている。
【００１４】  このキット１は、水中において足にかかる静水圧を体験するための重りを収納するための重り収納用袋２を有する。重り収納用袋２の重りを出し入れする開口部には面ファスナー２ａが取り付けられていて、重り収納用袋２への重りの出し入れが可能である。重り収納用袋２に入れる重りの重さは、例えば２０ｃｍの津波を体験するときは１ｋｇの重りを入れる。水深が深くなるときは重くして調節する。
【００１５】  キット１は、重り収納用袋２を足、特に足首に装着するための面ファスナー３を有する。面ファスナー３は体験する津波の水深に合わせて、体験者の足のかかとから同水深とほぼ同じ高さの足の位置に重り収納用袋２を装着するため、巻き付けやすい形状で柔らかいものの方が着脱が容易で好ましい。面ファスナー３の幅は、例えば２０ｃｍの津波を体験する場合は２０ｃｍとするとよい。また、面ファスナー３で重り収納用袋２を足に固定する際の強さは、弾性体４を引張ったときにキット１が足からはずれない強さで固定する。
【００１６】  キット１の弾性体４については、一端が重り収納用袋２と、他端が引張り用持ち手具５と繋がっていて、例えば弾性体４としては、２本のスプリング４−１、４−２を使用し、各スプリング４−１、４−２の一端をリング４−３、止め具４−４（図３参照）を用いて重り収納用袋２と接続し、同様にスプリング４−１、４−２の他端を引張り用持ち手具５と接続する。弾性体４の強さは、例えば水深２０ｃｍの津波が引く力を体験する場合、片足につき７ｋｇの強さで引くものとする。
なお、弾性体４を引張る力と弾性体４の伸び具合との関係を予め検証、確認しておくことにより、実際に体験者の足を引張る力を、弾性体４の伸び具合を見ながら任意に調整することができる。
また、弾性体４を交換して張力を強くすることで、津波の水深が深くなったときの波の強さ（動水圧）を体験できる。弾性体４の長さは約５０ｃｍで良く、キット１を足に付けている体験者と、引張り用持ち手具５を引く補助者が使いやすい長さで良い。
【００１７】  キット１の引張り用持ち手具５については、図３に示すように弾性体４（スプリング４−１、４−２）の他端にリング４−３と止め具４−４を装着して接続する。引張り用持ち手具５の材質は、例えばＡＢＳ樹脂や木製とし、キット１を体験者が装着して引張り用持ち手具５を引張ったときに破損しない強度を有するものとする。引張り用持ち手具５の形状は、例えば図２で示すように内部をくりぬいた四角形や、棒状、円状、多角形状でよく、引張りやすいように握ったり固定できる形状の物で良い。
【００１８】  本実施形態のキット１を装着して津波を体験する際には、津波や災害の映像を見たり、音を聞きながら体験するのがよい。
【００１９】  キット１により津波の力が足や足首にかかり、波の力を体験する際に、同時に津波や風水害の映像を見せたり、津波発生時の音を聞かせたりすることで、体験者はより臨場感のある津波体験が出来る。また、本キット１を体験するための場としてのシミュレータに傾斜をつけたり、周囲を暗くしたり、風や水を降らせたりすることで、坂道や夜間や悪天候時の避難を想定した津波体験ができる。
【００２０】  また、キット１を装着し津波体験を実施する際に、荷物を手に持ったり、避難用品を入れた袋を背負ったり、子供を抱いたり手を引きながら実施することで、よりリアルな津波発生時の避難の様子を体験することが出来る。
【００２１】  なお、以上説明した実施形態において、面ファスナー３に代えて、紐を用いて重り収納用袋２を足に固定するようにしてもよい。また、重り収納用袋２は必ずしも必要なく、重りに穴を開け、そこに面ファスナーや紐を通して重りを足に取り付けるようにしても良い。また、重りを足に取り付ける取付手段として、面ファスナー３に代えて靴を用いるようにしてもよく、その場合には靴に重りを装着する。更に、弾性体４としては、スプリングに限らず、ゴム等を用いるようにしても良い。更にまた、弾性体４を重り収納用袋２に取り付けるのに代えて、図４に示すように、重り収納用袋２と弾性体４とを切り離して、それぞれを別個に面ファスナー３等により、体験者の足に取り付けるようにしても良い。
【符号の説明】
【００２２】  １・・・津波体験キット
２・・・重り収納袋
２ａ・・・開閉手段（面ファスナー）
３・・・面ファスナー
４−１、４−２・・・スプリング
４−３・・・リング
４−４・・・止め具
５・・・引張り用持ち手具
【図１】
2019109450.tif 000003
【図２】
2019109450.tif 000004
【図３】
2019109450.tif 000005
【図４】
2019109450.tif 000006